Podtech/llm-jp-corpus-v4-ja_patent huggingface dataset:
(57)【要約】      （修正有）【課題】椅子またはスツールを取り出し自在に収納することができる新規な仏壇の台を提供する。【解決手段】仏壇の台２は、両側面５ａ、５ｂを構成する板状体によって支持された上面の下側に、前方に引き出し自在に収納された膳引き１１と、該膳引きの下に収納部となる抽斗１０とを有し、前面の少なくとも一部が開口し、該前面の開口部から取り出し自在に収納された椅子またはスツール３を備えてなる。【選択図】図１
0003162129.tif 000002
【実用新案登録請求の範囲】
【請求項１】
両側面を構成する板状体によって支持された上面の下側に、前方に引き出し自在に収納された膳引きと、該膳引きの下に収納部とを有し、前面の少なくとも一部が開口し、該前面の開口部から取り出し自在に収納された椅子またはスツールを備えてなる仏壇の台。
【請求項２】
前記収納部が、前方に引き出し自在に収納された抽斗である請求項１記載の仏壇の台。
【請求項３】
前記椅子またはスツールの下面には、車輪が取り付けられてなる請求項１または２記載の仏壇の台。
【請求項４】
前記仏壇の台の後面が、板状体によって形成されてなる請求項１〜３のいずれかに記載の仏壇の台。
【請求項５】
脚状体によって支持された上面の下側に、前方に引き出し自在に収納された膳引きと、該膳引きの下に収納部とを有し、前面の少なくとも一部が開口し、該前面の開口部から取り出し自在に収納された椅子またはスツールを備えてなる仏壇の台。
【考案の詳細な説明】
【技術分野】
【０００１】
本考案は仏壇の台に関し、より詳しくは椅子またはスツールを収納することができる上置仏壇の台に関する。
【背景技術】
【０００２】
仏壇は、台付き型と上置き型の２種類に分けることができ、台付き仏壇はそのまま床に載置するものであり、上置仏壇は、仏壇専用の台の上に載置することを前提として設計されたものである。
【０００３】
図３は、従来の上置仏壇の台の一例を示した概略斜視図であり、箱形状を有する台２０は、その前面に開閉自在の引き戸２１を備え、その中に仏具等を収納できるよう構成されている。図４は、従来の上置仏壇の台の他の例を示した概略斜視図であり、台３０は、その上面の下に引き出し自在に収納された膳引き３１と、さらにその下に複数の収納用抽斗３２とを備えている。これら従来の上置仏壇の台には経机や椅子の収納スペースがなく、別途そのためのスペースが必要となる。経机や椅子を取り出し自在に収納することができる仏壇の台はこれまでなかった。
【考案の概要】
【考案が解決しようとする課題】
【０００４】
本考案は、椅子またはスツールを取り出し自在に収納することができる新規な仏壇の台を提供することを目的とする。
【課題を解決するための手段】
【０００５】
本考案の仏壇の台は、両側面を構成する板状体によって支持された上面の下側に、前方に引き出し自在に収納された膳引きと、該膳引きの下に収納部とを有し、前面の少なくとも一部が開口し、該前面の開口部から取り出し自在に収納された椅子またはスツールを備えてなることを特徴としている。
【０００６】
また、前記収納部が、前方に引き出し自在に収納された抽斗であることが好ましい。
【０００７】
また、前記椅子またはスツールの下面には、車輪が取り付けられてなることが好ましい。
【０００８】
また、前記仏壇の台の後面が、板状体によって形成されてなることが好ましい。
【０００９】
本考案の仏壇の台は、脚状体によって支持された上面の下側に、前方に引き出し自在に収納された膳引きと、該膳引きの下に収納部とを有し、前面の少なくとも一部が開口し、該前面の開口部から取り出し自在に収納された椅子またはスツールを備えてなることを特徴としている。
【考案の効果】
【００１０】
本考案の仏壇の台は、椅子またはスツールを収納することができるため、椅子またはスツール用のスペースを必要とせず、使い勝手が良い。
【図面の簡単な説明】
【００１１】
【図１】本考案の第１の実施の形態によるスツール付き上置仏壇の台の概略斜視図である。
【図２】本考案の第２の実施の形態による椅子付き上置仏壇の台の椅子の概略斜視図である。
【図３】従来の上置仏壇の台の一例を示した概略斜視図である。
【図４】従来の上置仏壇の台の他の例を示した概略斜視図である。
【考案を実施するための形態】
【００１２】
本考案の実施の形態による上置仏壇の台について、添付図面に沿って以下詳細に説明する。
【００１３】
図１は、本考案の第１の実施の形態によるスツール付き上置仏壇の台の概略斜視図である。
【００１４】
図１に示されるように、上置仏壇の台１は、両側面５ａ、５ｂ、後面６および上面７が板状体によって囲まれ、上面７の下側に、前方に引き出し自在に収納された抽斗１０を備えた台２と、台２内に収納可能なスツール３とから構成されている。台２の上面７は、両側面５ａ、５ｂおよび後面６によって支持された水平面となっており、この上に上置仏壇（図示せず）を載置する。また、台２の上面７と抽斗１０との間に、前方に引き出し自在に収納された膳引き１１を備えている。さらに、台２の抽斗１０の下は前面が開口している。この前面の開口から、スツール３を台２内に取り出し自在に収納する。なお、両側面５ａ、５ｂおよび後面６を板状体とせず、複数の脚状体によって上面７を支持するよう構成しても良く、また、板状体は木製のものが好ましいが、これに限定されるものではない。
【００１５】
スツール３は、取り外し自在な上蓋１２を備えた箱形状を有するものであり、上蓋１２を取り外すことにより、その内部に仏具等を収納することができる。この上蓋１２の上面にはクッションが取り付けられている。また、スツール３の下面の４隅にはキャスター１５が取り付けられているため、スツール３は台２から取り出しやすい。キャスター１５の少なくとも２つ以上には、スツール３を移動不可とすることができるストッパーを設けておくことが好ましい。なお、スツール３のキャスター１５はなくても良い。
【００１６】
図２は、本考案の第２の実施の形態による椅子付き上置仏壇の台の椅子の概略斜視図である。この実施の形態による上置仏壇の台の構成は、先に説明した第１の実施の形態によるものと基本的に同じであるため、以下、相違点を中心に説明する。第２の実施の形態による上置仏壇の台（図示せず）には、スツールではなく、図２に示されるような背もたれ１６付きの椅子４が取り外し自在に収納されている点が第１の実施の形態によるものと異なる。この実施の形態による上置仏壇の台も、第１の実施の形態によるものと同様の作用、効果を奏することができる。
【００１７】
以上、本考案の上置仏壇の台によれば、椅子またはスツール用のスペースを必要とせず、使い勝手が良い。なお、本考案は、上置仏壇の台に限定されるものではなく、広く仏壇の台に適用できるものである。
【符号の説明】
【００１８】
１  上置仏壇の台
２  台
３  スツール
４  椅子
５ａ、５ｂ  側面
６  後面
７  上面
１０  抽斗
１１  膳引き
１２  上蓋
１５  キャスター
１６  背もたれ
２０、３０  台
２１  引き戸
３１  膳引き
３２  抽斗
【図１】
0003162129.tif 000003
【図２】
0003162129.tif 000004
【図３】
0003162129.tif 000005
【図４】
0003162129.tif 000006
(57)【要約】      （修正有）【課題】容器等の外側、内側が異なる色彩の配色になるように趣向に富んだ手工芸品を提供する。【解決手段】テープ状の紙を撚ってなる紙紐の複数本を接着剤を介し並接してなる紙バンド本体の両側縁部の各々の飾り紙紐は、互いに異なる色彩で、且つ紙バンド本体の中央部の紙紐の色彩と異なる色彩としてなる。【選択図】図１
0003162121.tif 000002
【実用新案登録請求の範囲】
【請求項１】
テープ状の紙を撚ってなる紙紐の複数本を接着剤を介し並接してなる紙バンド本体において、紙バンド本体の両側縁部の各々の紙紐を、互いに異なる色彩の飾り紙紐とし、且つ各々の飾り紙紐の色彩を紙バンド本体の中央部の紙紐の色彩と異なる色彩とした手芸用紙バンド。
【考案の詳細な説明】
【技術分野】
【０００１】
本考案は、テープ状の紙を撚ってなる紙紐の複数本を接着剤を介し並接してなる紙バンドを手芸用に改良を施したものである。
【背景技術】
【０００２】
従来、紙バンドを使用して手芸作品として作られている椀形状の菓子鉢とか載頭円錐形状の容器、電気スタンド用の傘などがあるが、これらに使用する紙バンドは一色の紙紐を並接したものとか、異なる色の紙バンド組合せたもの或は異なる色の紙紐をストライブ状に組み込んだものが使用されている。その手法としては、紙バンドを渦巻状に巻き込み、これを中心部から周囲を押し下げ或は押し上げながら接着剤によって所定形状に固定していく手順となっている。この場合出来上がった作品の外側と内側は同じ配色となり趣向に乏しいなどの難点がある。
【考案の概要】
【考案が解決しようとする課題】
【０００３】
そこで本考案では、テープ状の紙を撚ってなる紙紐の複数本を接着剤を介し並接してなる紙バンドを従来手法の手工のみで、容器等の外側、内側が異なる色彩の配色になるように趣向に富んだ手工芸品を提供しようとするものである。
【課題を解決するための手段】
【０００４】
テープ状の紙を撚ってなる紙紐の複数本を接着剤を介し並接してなる紙バンド本体において、紙バンド本体の両側縁部の各々の紙紐を、互いに異なる色彩の飾り紙紐とし、且つ各々の飾り紙紐の色彩を紙バンド本体の中央部の紙紐の色彩と異なる色彩としたものである。
【考案の効果】
【０００５】
紙バンドを渦巻状に巻き込み、これを中心部から周囲を押し下げ或は押し上げながら接着剤によって所定形状に固定していくことによって手工芸品としての椀形状の菓子鉢とか載頭円錐形状の容器、電気スタンド用の傘などの外側と内側は異なる色彩の配色となり趣向に富んだものとなる。
【図面の簡単な説明】
【０００６】
【図１】図１は本案紙バンドの平面説明図。
【実施例】
【０００７】
これを図示の実施例によって詳記すると、テープ状の紙を撚ってなる紙紐１の複数本を接着剤を介し並接してなる紙バンド本体２において、紙バンド本体１の両側縁部３，４の各々の紙紐１を、互いに異なる色彩の飾り紙紐５，６とし、且つ各々の飾り紐５，６の色彩を紙バンド本体２の中央部７の紙紐１の色彩と異なる色彩としてなるものである。
図１において側縁部３，４の飾り紙紐５，６は一本としているが、複数本を飾り紙紐としても良い。
【０００８】
本案は以上のようになるもので、これを使用して手工芸品を作るには、直接或は型などに紙バンドを渦巻状に巻き込み、これを中心部から周囲を押し下げ或は押し上げながら接着剤によって所定形状に固定していくことによって、椀形状の菓子鉢とか載頭円錐形状の容器、電気スタンド用の傘など（容器等という。）の本体形状が形成され、下側となる側縁部３の飾り紙紐５が容器等の外側に表れ、上側となる側縁部４の飾り紙紐６が容器等の内側に表れ、趣向に富んだものとなる。
【符号の説明】
【０００９】
１は紙紐
２は紙バンド本体
３は側縁部
４は側縁部
５は飾り紙紐
６は飾り紙紐
７は中央部
【図１】
0003162121.tif 000003
(57)【要約】      （修正有）【課題】洗浄水を高度処理し飲料に適合した安定した水質とすることにより、食品工場内で広範囲な使用を可能とする製造工程洗浄水再利用装置を提供する。【解決手段】飲料に適合した安定した水質を提供するために、ＭＢＲという膜分離活性汚泥装置による一次処理後、ＮＦというナノろ過膜装置による二次処理を行うことを特徴として食品工場製造工程洗浄水再利用装置を構成する。【選択図】図２
0003162196.tif 000002
【実用新案登録請求の範囲】
【請求項１】
食品工場の洗浄水を飲料に適合した水質にする再利用装置において、一次処理として従来の沈降分離方式と比較して爆気槽容積が１／３であり、浮遊物、大腸菌のない安定した処理水が得られ、二次処理の負荷を低減することが可能なことを特徴とするＭＢＲという膜分離活性汚泥装置と二次処理として多価イオンや色素成分等の分子レベルの有害物質を阻止し、濃縮を防止することが可能であり、水道法水質基準全５１項目に適合した処理水を得ることが可能なことを特徴とするＮＦというナノろ過膜装置を有する食品工場製造工程洗浄水再利用装置。
従来食品工場では、高負荷洗浄工程洗浄水を沈降分離活性汚泥方式にて処理を行っていたが処理水の安定性、安全性を確保することが困難なため、トイレ洗浄水、散水、景潅水等に使用が限定されていたが、上記を特徴とするＭＢＲ装置とＮＦ装置を組み合わせることで、安定性、安全性を確保し、生産工程及び洗浄工程での広範囲な使用先まで提供することを可能にしたことを特徴とする。
【考案の詳細な説明】
【技術分野】
【０００１】  本考案は、食品工場製造工程洗浄水を高度処理することにより、水を再利用する装置に関する。
【背景技術】
【０００２】  従来の技術は、洗浄水処理後の処理水を中水として、トイレ洗浄水、散水、景潅水等に使用先が限定されていた（図１）。
【考案の開示】
【考案が解決しようとする課題】
【０００３】  しかし、本考案は、洗浄水を高度処理し飲料に適合した安定した水質を提供することにより、食品工場内で広範囲な使用を可能とし、リサイクル率を上げることが可能である。また、ＲＯ（逆浸透膜）より低エネルギーで運転することが可能である。
【課題を解決するための手段】
【０００４】  そこで、飲料に適合した安定した水質を提供するために、ＭＢＲという膜分離活性汚泥装置よる一次処理後、ＮＦというナノろ過膜装置による二次処理を行うことを特徴とした洗浄水再利用装置を考案した（図２）。【０００５】  膜分離活性汚泥装置により、従来の沈降分離方式と比較して曝気槽容積が、１／３となる。【０００６】  膜分離活性汚泥装置において、安定した清澄な処理水が得られることにより二次処理の負荷を低減することが可能である。【０００７】  二次処理にナノろ過膜装置を使用することで、飲料に適合した水を供給することが可能である。【０００８】  二次処理にナノろ過膜装置を使用することで、濃縮を防止することが可能である。【０００９】  二次処理にナノろ過膜装置を使用することで、ＲＯ処理よりも低エネルギーで運転することが可能である。【００１０】  二次処理にナノろ過膜装置を使用することにより、硬度成分の低減、有機物色素成分、農薬の除去が可能である。
【考案の効果】
【００１１】  よって、本考案の食品工場製造工程洗浄水再利用装置により、飲料に適合した水質としてリサイクルするため、上水道の節約、下水道の節減、ＣＯ２の削減の効果がある。
【考案を実施するための最良の形態】
【００１２】  膜分離活性汚泥装置により、一次処理を行う。固液分離を従来の沈降分離方式ではなくＭＦ膜という精密ろ過膜を使用することにより、浮遊物、大腸菌のない処理水を得ることが可能である。【００１３】  従来の沈降分離方式と比較して、容積負荷を３倍にすることが可能となり、省スペース化を図ることが可能である。【００１４】  膜分離活性汚泥装置により、安定した清澄な処理水が得られることで、二次処理の負荷を低減し、ＮＦというナノろ過膜装置の寿命を延ばすことが可能である。【００１５】  一次処理水を濁度計にて連続監視を行い、異常時は直ちに下水放流に切換えるシステムである。【００１６】  ＮＦというナノろ過膜装置による二次処理水は、連続蒸発残留物の監視を行う。【００１７】  二次処理水には、次亜塩素酸を連続注入し、残留塩素濃度０．４ｐｐｍ以上となるシステム装置である。
【図面の簡単な説明】
【００１８】
【図１】  従来の洗浄水処理システム装置である。
【００１９】
【図２】  本考案に係る食品工場製造工程洗浄水再利用装置である。
【図１】
0003162196.tif 000003
【図２】
0003162196.tif 000004
【手続補正書】
【提出日】平成22年6月3日(2010.6.3)
【手続補正１】
【補正対象書類名】実用新案登録請求の範囲
【補正対象項目名】全文
【補正方法】変更
【補正の内容】
【実用新案登録請求の範囲】
【請求項１】
食品工場の洗浄水を飲料に適合した水質にする再利用装置において、浮遊物、大腸菌のない安定した処理水が得られ、二次処理の負荷を低減することが可能なことを特徴とするＭＢＲという膜分離活性汚泥装置と二次処理として多価イオンや色素成分等の分子レベルの有害物質を阻止し、濃縮を防止することが可能であり、水道法水質基準全５１項目に適合した処理水を得ることが可能なことを特徴とするＮＦというナノろ過膜装置を有する食品工場製造工程洗浄水再利用装置。
(57)【要約】【課題】本考案はたるんだおなか回りをすっぽり包み腰ひもで軽く締めているような感じの機能性健康ショーツを提供する。【解決手段】本考案はショーツ腰回りに伸縮性布地を織りこんだ機能性健康ショーツ【選択図】図１
0003162198.tif 000002
【実用新案登録請求の範囲】
ショーツ腰回りに伸縮性布地をぐるりと織り込んだことを特徴とする機能性健康ショーツ
【考案の詳細な説明】
【技術分野】
【０００１】本考案は従来からあるショーツに関するものである。
【背景技術】
【０００２】肌着として着用していただけのショーツであった。
【考案の概要】
【０００３】歳をとるに従って下半身がたるんでくる昔から日本人は着物を着る時腰ひもでギュッと締めることで気持ちがシャキッとするそれがヒントで機能性健康ショーツを考案した。
【考案が解決しようとする課題】
【０００４】従来のショーツにはおなかを引締めるようなものがなかった。
たるんだおなか回り腰回りをぐるりと強い伸縮性布地で軽くしめることで気分も引締まり常にへその下、丹田を意識して気持ちが前向きになって動作も軽く楽になるようにすることを課題とする。
【課題を解決する為の手段】
【０００５】おなかすっぽり包みこむこのショーツの腰回りに伸縮性布地を織りこんだ機能性健康ショーツにすることにより問題点を解決する。
【考案の効果】
【０００６】本考案の機能性健康ショーツは腰回りに強い伸縮性布地を織りこんだショーツであるので身につけた時にガードルの様なきつく身体を締めつけることがないので着ごこちがいいし、たるんだおなかの矯正に役立つ、下腹をすっぽり包みこんだこのショーツをつけた時は腰ひもを軽く締めてるような安心感とへその下丹田を常に感じることが出来るので腸が元気になり『腸が元気になると身体も元気で健康体』より上質をと考えてる人には少々高価になるがよく知られているゲルマニウム、トルマリンといったものを織りこんでもよい。こうすることにより腸の働きが活発になり現代人に多い低体温が解消され基礎代謝があがり体脂肪が燃やされメタボ予防と改善が期待出来る。健康を考えてる男性用にも應用出来る。
【図面の簡単な説明】
【０００７】
【図１】本考案の全体図．
【図２】本考案の前身．前面図
【図３】本考案の後身．後面図
【実施例】
【０００８】以下図面に従って実施例を説明する。１はショーツで２は伸縮性の強い布地である。伸縮性布地２をショーツ１の腰回りにぐるりと織り込んだものである【０００９】通常のショーツを同じようにして着用してみると着物を着た時のように気持ちがシャキッとなる、この考案のショーツを着用することでゆるいガードルを部分的につけているようで身体が軽く感じ動くのも楽になるので中高年にはもってこいとなる。
【符号の説明】
【００１０】１  ショーツ
２  伸縮性の強い布地
【図１】
0003162198.tif 000003
【図２】
0003162198.tif 000004
【図３】
0003162198.tif 000005
(57)【要約】      （修正有）【課題】カップケーキ型にする事で空気を包み込んだクリームが浴槽に一定時間浮上させ、香りの放出を長持させアロマ効果が働き、体をリラックさせる入浴剤を提供する。【解決手段】製品本体を浴槽に浮かべると、お湯が浸かる事で溶け、入浴剤カップが自然に剥がれ本体が溶け始める。その後入浴剤が溶け終わると、空気を包み込んだクリーム３が浮かびながら徐々に溶け始める。しばらくすると、全てお湯に溶け固形物は完全に無くなる。但し、入浴剤カップ１だけは使用者が排除する。【選択図】図１
0003162195.tif 000002
【実用新案登録請求の範囲】
【請求項１】
入浴剤をカップケーキ型にする事で空気を包み込んだクリームが浴槽に一定時間浮上させる事ができ、香りの放出を長持させアロマ効果が働き体をリラックさせられる。
又、形状がカップケーキ型なので、お湯に溶けて行く過程が入浴を楽しませる事が出来る。
【考案の詳細な説明】
【技術分野】
【０００１】  本考案は、カップケーキ型にした付加価値入浴剤である。
【背景技術】
【０００２】入浴剤をカップケーキ型にする事で浴槽に一定時間浮上させる事ができ、自然な香りの放出を長持させアロマ効果が働き体をリラックさせられる。
又、天然素材成分が徐々にお湯に溶ける事で肌を滑々にしてくれる。
更に形状がカップケーキ型なので、お湯に溶けて行く過程が入浴を楽しませる事が出来る。
【考案が解決しようとする課題】
【０００３】従来までの入浴剤は主に粉上（直ぐに溶ける）タイプ、もしくは固体型（ボム型で沈む）タイプが一般的だが、本考案はある一定時間浴槽に浮かべる事で、香りなどを長持ちさせる事が出来る。
又、何より形状がカップケーキ型なので、子供から大人まで広い世代で楽しませる事が出来る。
【課題を解決するための手段】
【０００４】本考案は、本来粉上の入浴剤を重層と水などで混ぜ合わせ圧縮する事で固体化させ、更に物体を浮上させる為に天然素材成分などを用いたクリームを使い、空気を包み込み固体になった入浴剤とを合体する事で一定時間浮上させる事に成功させた。
【考案の効果】
【０００５】上述の様に、本考案のカップケーキ型入浴剤は一定時間浮上による自然な香りでアロマ効果が働き心も体もリラックスさせられ、更に天然食物成分が肌を滑々にしてくれる。
【図面の簡単な説明】
【０００６】
【図１】本考案の正面図である。
【図２】本考案の切断断面図である。
【考案を実施するための形態】
【０００７】製品本体を下部カップの付いた状態で直接浴槽に浮かべるだけで、入浴剤が徐々に溶ける。
【実施例】
【０００８】以下、添付図面に従って一実施例を説明する。
製品本体を浴槽に浮かべると、２、（入浴剤）にお湯が浸かる事で溶けだし１、（入浴剤カップ）が自然に剥がれ本体が溶け始める。
その後２、（入浴剤）が溶け終わると、４、（空気）を包み込んだ３、（クリーム）が浮かびながら徐々に溶け始める。
しばらくすると、全てお湯に溶け固形物は完全に無くなる。但し、１、（入浴剤カップ）だけは使用者が排除する必要は有る。
【符号の説明】
【０００９】１、入浴剤カップ
２、入浴剤（固形）
３、クリーム（デザインにより形状は変動する）
４、空気
５、デコレーション類（デザインにより変動する）
【図１】
0003162195.tif 000003
【図２】
0003162195.tif 000004
【手続補正書】
【提出日】平成22年6月2日(2010.6.2)
【手続補正１】
【補正対象書類名】明細書
【補正対象項目名】０００２
【補正方法】変更
【補正の内容】
【０００２】  入浴剤をカップケーキ型にする事で浴槽に一定時間浮上させる事ができ、自然な香りの放出を長持させアロマ効果が働き体をリラックさせ、天然素材成分が徐々にお湯に溶ける事で肌を滑々にしてくれる。
又、形状がカップケーキ型なので、お湯に溶けて行く過程で入浴を楽しませる事を最大の特徴とする入浴剤である。
【手続補正２】
【補正対象書類名】明細書
【補正対象項目名】０００３
【補正方法】変更
【補正の内容】
【０００３】  従来までの入浴剤は主に粉上（直ぐに溶ける）タイプ、もしくは固体型（ボム型で沈む）タイプが一般的だが、本考案はある一定時間浴槽に浮かべる事で、香りなどを長持ちさせる事を特徴とする入浴剤。
【手続補正３】
【補正対象書類名】実用新案登録請求の範囲
【補正対象項目名】請求項１
【補正方法】変更
【補正の内容】
【請求項１】
カップケーキ用の容器に入浴剤及び重曹などを入れ、その上部にクリームを装飾的に盛り付け加工し、全体がカップケーキ型としたところを特徴とする入浴剤。
(57)【要約】      （修正有）【課題】経口の薬液を薬液瓶より定量取り出す中蓋を提供する。【解決手段】薬液を注射器にて薬液瓶より直接、必要量測りながら吸い上げることができ、初心者でも、容易に正確に、衛生的かつ迅速に必要量の薬液が効率的に得られ、前述の問題点を解決しようとするものである。従来の薬液瓶開口の中央に、注射器針取り付け筒が丁度入る大きさの穴をあけ、その穴に連通する導管を通すと共に、穴に注射器針取り付け筒を差し込み、注射器のメモリを見ながら衛生的に必要量の薬液を取りだす中蓋である。【選択図】図１
0003162676.tif 000002
【実用新案登録請求の範囲】
【請求項１】
従来の薬液瓶開口に合う中蓋の中央に、注射器針取り付け筒が丁度入る大きさの穴をあけ、その穴の周りに窪みをもたせ、かつ傾斜をつけることにより、万一薬液の液だれが起こっても、清掃のし易さ、不潔範囲を最小限に留めることが可能になり、薬液が中蓋中央の穴より再度瓶の中に流れ込む事を防げ、かつ、薬液を吸い上げる際に瓶の内圧と外気圧の差による薬液が吸い上げにくい、吹きこぼれる等の問題を解消する為に中蓋の縁の一部に通気口を設けると共に中蓋を取り外し容易にする為に通気口の下の中蓋側面の一部にも窪みをもたせることにより、取り外ししやすく、取り外し場所を解りやすくした形状で、注射器針取り付け筒を中蓋中央の穴に差し込み、注射器のメモリを見ながら必要量の薬液を衛生的に取り出せるようにした中蓋である。
【考案の詳細な説明】
【技術分野】
【０００１】
本考案は経口の薬液を薬液瓶より定量取り出す中蓋に関するものである。
【背景技術】
【０００２】
従来、薬液を必要量だけ取るときは、薬液瓶の中に直接注射器を入れて薬液を吸い上げたり、一旦他の薬杯に薬液を目分量入れてから、注射器にて正確に必要量の薬液を吸い上げたりしていた。  
【先行技術文献】
【特許文献】
【０００３】
【特許文献１】実用新案登録第２５１７４７０号
【特許文献２】特開２００３−４０３０９号
【考案の概要】
【考案が解決しようとする課題】
【０００４】
従来は薬液を必要量だけ得るために、一旦薬杯に薬液を目分量入れてから、必要量のみ注射器で吸い、残りは薬液瓶に戻したり、直接注射器を薬液瓶に挿入し薬液を吸っていて、瓶の外側への液だれもおこりやすく衛生的とはいえない状況、時間的負担のある状況であった。本考案は薬液を注射器にて必要量測りながら吸い上げることができ、正確、衛生的かつ迅速に必要量の薬液が効率的に得られ、前述の問題点を解決しようとするものである。
【課題を解決するための手段】
【０００５】
本考案は、注射器の針取り付け筒が丁度入る穴のあいた導管付き中蓋を、従来の薬液瓶に装着することで、注射器を中蓋の穴に差し込み、瓶の中の薬液を注射器のメモリに沿って必要量測りながら吸い上げる構造とすることにより問題点を解決している。
【考案の効果】
【０００６】
上述のように、穴付き中蓋を取り付けることにより、瓶の外側への液だれを防げ、衛生的、効率的に迅速に薬液が得られる。
【図面の簡単な説明】
【０００７】
【図１】薬液を吸い上げる中蓋の斜視図である。
【図２】断面図である。
【図３】図１の中蓋をどのように使用するか説明するための実施例である。
【考案を実施するための形態】
【０００８】
薬液瓶の開口部に丁度合うサイズの中蓋、中蓋の中央に注射器の針取り付け筒が丁度入る大きさの穴を開け、この穴に連通する導管を連結する。また、薬液瓶を取り出す際の瓶の内圧、外気圧の差による吹きこぼれを防ぎ、薬液を吸い上げ易くする為に、中蓋の縁の一部に通気口を設け、外気圧と薬液瓶の内圧を一定にする。また、中蓋中央の穴の周りに窪み部分を設け、窪み部分に傾斜をつけ、万一薬液の液だれが起こっても薬液が窪み部分の傾斜部分の一番低い位置に留まるようにすることで、清掃のしやすさ、不潔範囲を最小限にでき、中蓋中央の穴に再度薬液が、流れこまないようにする。薬液定量吸い上げ装が瓶の開口部から取り外しし易いように、通気口の中蓋側面に凹み部分を設け、指が中蓋側面の窪み部分を引き上げ、取り外しし易く、取り外し部位が解りやすいようにする。薬液を必要量とる時は、中蓋中央の穴に注射器の針取り付け筒を差し込み、注射器のメモリを合わせて必要量吸い上げて行く。
【実施例１】
【０００９】
図１は中蓋の構造の斜視図である。  
【実施例２】
【００１０】
図２は中蓋の断面図である。
【実施例３】
【００１１】
図３は図１に実施例である。
【産業上の利用可能性】
【００１２】
薬液定量吸い上げ装置を利用することにより、薬液の瓶の外側への液だれを防げ、初心者でもスムーズに衛生的、迅速に容易に必要量の薬液が効果的に得られる。
【符号の説明】
【００１３】
１薬液瓶に丁度あうサイズの中蓋
２中蓋中央に注射器の丁度入る大きさの穴
３穴に連結した導管
４窪み
５通気口  
６取り外し場所
【図１】
0003162676.tif 000003
【図２】
0003162676.tif 000004
【図３】
0003162676.tif 000005
(57)【要約】      （修正有）【課題】コルセットの如く、身体を局部的にサポートすることに伴う、部分的嵩み、更には使用者に対する違和感を与えることのない姿勢保持具を提供する。【解決手段】Ｔシャツ、下着等の着衣主体１と、この着衣主体の首孔２、胸部３、腹部４、股下部５、更には脇部６に亘って一体的に巻き付け取着され、而も弾力性細紐にて形成されたネット状部７とで成したことを特徴として身体における姿勢保持具を形成する。【選択図】図１
0003162664.tif 000002
【実用新案登録請求の範囲】
【請求項１】
Ｔシャツ、下着等の着衣主体と、この着衣主体の首孔、胸部、腹部、股下部、更には脇部に亘って一体的に巻き付け取着され、而も弾力性細紐にて形成されたネット状部とで成したことを特徴とする身体における姿勢保持具。
【請求項２】
前記ネット状部は、着衣主体の縦中心線で、而も首孔、胸部、腹部、股下部、更には脇部において、輪状部を形成し、且つ各々の輪状部から前記各部水平方向に巻き付ける横細紐で成したことを特徴とする請求項１記載の身体における姿勢保持具。
【考案の詳細な説明】
【技術分野】
【０００１】
本考案は、身体の姿勢を保持する保持具に関するものである。
【背景技術】
【０００２】
一般的に身体の姿勢を保持する用具としてはコルセットが主流をなしている。
而して、コルセットは局部的患部に対応するものであり、身体の広範囲をサポートするものではない。
特に、コルセットは局部的に患部をサポートすることから、その部分が嵩んで目立つこととなり、且つ使用者に対しても違和感を与える。
【考案の概要】
【考案が解決しようとする課題】
【０００３】
コルセットの如く、身体を局部的にサポートすることに伴う、部分的嵩み、更には使用者に対する違和感を与えることへの課題を解決する。
【課題を解決するための手段】
【０００４】
本考案は、Ｔシャツ、下着等の着衣主体と、この着衣主体の首孔、胸部、腹部、股下部、更には脇部に亘って一体的に巻き付け取着され、而も弾力性細紐にて形成されたネット状部とで成したことを特徴とするものである。
更に、本考案はネット状部は、着衣主体の縦中心線で、而も首孔、胸部、腹部、股下部、更には脇部において、輪状部を形成し、且つ各々の輪状部から前記各部水平方向に巻き付ける横細紐で成したことを特徴とするものである。
【考案の効果】
【０００５】
（１）請求項１により、弾力性細紐のネット状部は着衣主体を全体に一体的に巻き付け取着されているから、コルセットの如く身体を局部的にサポートするものに比し、身体全体をサポートし、使用者に軽快感を与える。
更に、ネット状部を有する着衣主体は、上着にて被われているので、極端に目立つことが無く、且つやや重量感のあるコルセットの如く、身体全体を保持することは困難であり、首孔、胸部、腹部等の各部を個々に装着する負担から開放され、外見上、目立つ違和感も軽減できる。
（２）請求項２により、ネット状部を、着衣主体の縦中心線で、而も首孔、胸部、腹部等において、輪状に形成し、且つ各々の輪状部から各部の水平方向に巻き付ける横細紐を備えているから、身体全体を一層バランスよくサポートできる。
【図面の簡単な説明】
【０００６】
【図１】姿勢保持具の使用状態を示す正面図
【図２】同上の背面図
【図３】同上の側面図
【図４】部分拡大断面図
【考案を実施するための形態】
【０００７】
以下本考案を実施形態の図面に基づいて説明すると、図１は姿勢保持具の使用状態を示す正面図であって、Ｔシャツ、下着等の着衣主体１の首孔２、胸部３、腹部４、股下部５、更には脇部６に亘ってゴム等の弾力性細紐７ａにて形成されたネット状部７が一体的に巻き付け取着されている。
尚、この取着は、図４に示す如く、合成樹脂製の差込止具８にて行っているが、勿論、任意の位置にて部分的に縫付けてもよい。
更に、ネット状部７は、着衣主体１の縦中心線で、而も首孔２、胸部３、腹部４、股下部５、更には脇部６において、輪状部９を形成しているが、この輪状部９は、各部１、２、３、４、５、６の水平方向に巻き付ける横細紐７ｂにて形成されている。
【０００８】
而して、図１に示す如く、弾力性細紐７ａの両下端７ｃを引下げ調整して横細紐７ｂとでバランスの取れた輪状部９を形成する。
勿論、図３に示す如く、両下端７ｃを横細紐７ｂに引掛けてもよい。
【符号の説明】
【０００９】
１    着衣主体
２    首孔
３    胸部
４    腹部
５    股下部
６    脇部
７    ネット状部
８    差込止具
【図１】
0003162664.tif 000003
【図２】
0003162664.tif 000004
【図３】
0003162664.tif 000005
【図４】
0003162664.tif 000006
(57)【要約】      （修正有）【課題】１〜３回の洗浄で使用が困難になる業務用焼肉網において、特に摩耗が激しい外郭フレームを、交換可能でかつ網部分の補強としても有効な構造とし、コスト低減を図ることができる業務用焼肉網を提供する。【解決の手段】強力な洗浄に対し弱点であった網の外周部分をアルミニューム補強フレームで固定し、摩耗に対する強化を図る。またアルミニューム補強フレームの交換が簡便に出来るようにリベットで固定する構造とする。つまり業務用焼肉網の４辺端部をアルミニューム補強フレームで覆い固定した業務用焼肉網、固定手段にリベットを使用しアルミニューム補強フレームを固定したことで作業の簡略化が図られる業務用焼肉網を構成する。【選択図】図−２
0003162699.tif 000002
【実用新案登録請求の範囲】
【請求項１】
業務用焼肉網の４辺端部をアルミニューム補強フレームで覆い固定した業務用焼肉網
【請求項２】
固定手段にリベットを使用してアルミニューム補強フレームを固定したことで作業の簡略化が図られる業務用焼肉網。
【考案の詳細な説明】
【技術分野】
【０００１】  業務用焼肉網を使用後洗浄する場合、洗浄機による入念な洗浄を行うため、業務用焼肉網の摩耗が激しく、１〜３回の洗浄で業務用焼肉網が使用困難になり、ランニングコストが増大する結果となっている。
本考案では業務用焼肉網の最も摩耗が激しい、外部フレームを削除することにより簡略化し、網の補強効果を増大させ、更に摩耗が激しい外郭フレームに互換性を持たせる効果により、大幅なコストダウンを実現させるものである。
【背景技術】
【０００２】  今般使用している業務用焼肉網の汚れをとる洗浄機材の現状は、セラミック石を入れて洗浄するため、摩耗による破損が激しい。
この不況の中、消耗品を安価にするためにも、耐久力のある商品として、今現在これに対応する商品が無いと考える。
【考案の概要】
【考案が解決しようとする課題】
【０００３】  従来の摩耗しやすいハンダ付部を洗浄の際の摩耗から避け、耐久力を強化させる。
又、業務用焼肉網自体の構造の簡略化によるコストダウン並びに廃棄を少なくしエコへとつなげる。
【課題を解決する為の手段】
【０００４】  従来の外郭フレームに替わり、網部分をアルミニュームを使用した補強フレームで４辺端部全体の外郭を囲みリベットで固定し強固にする。
【考案の効果】
【０００５】  本考案を使用することで、安定して洗浄が出来、最も高価な業務用焼肉網を長期間使用し、安価な部材であるアルミニューム製補強フレームを消耗材として活用することにより、大幅なランニングコストの低減が可能となり、またエコへの大きな貢献となる。
【図面の簡単な説明】
【０００６】
【図−１】  従来の業務用焼肉網の現状
【図−２】  本考案の業務用焼肉網
【図−３】  従来の業務用焼肉網の破損しやすい部分
【図−４】  アルミニュームとリベットを使用した本考案の断面図
【考案を実施するための形態】
【０００７】  本考案は強力な洗浄に対し弱点であった図−３（Ｃ）をアルミニューム補強フレームで固定し、摩耗に対する強化を図る、またアルミニューム補強フレームの交換が簡便に出来るように図−４（ｄ）でリベットで固定する構造とした。
つまり業務用焼肉網の４辺端部をアルミニューム補強フレームで覆い固定した業務用焼肉網、固定手段にリベットを使用しアルミニューム補強フレームを固定したことで作業の簡略化が図られる業務用焼肉網である。
【産業上の利用可能性】
【０００８】  空前の韓国ブームという事もあり、焼肉ファンは非常に多く、その事に答えるためには、本考案のコスト削減が不可欠である。多くの焼肉店も同じ問題を抱えている。
本考案の修理可能な業務用焼肉網を用いることでコスト対策、エコ対策両面共に改善されるものと考える。
【符号の説明】
【０００９】（ａ）波状の網
（ｂ）外郭フレーム
（ｃ）外郭フレームと網にの溶接部
（ｄ）アルミニューム補強フレームへのリベット固定部
【図−１】
0003162699.tif 000003
【図−２】
0003162699.tif 000004
【図−３】
0003162699.tif 000005
【図−４】
0003162699.tif 000006
【手続補正書】
【提出日】平成22年6月7日(2010.6.7)
【手続補正１】
【補正対象書類名】実用新案登録請求の範囲
【補正対象項目名】全文
【補正方法】変更
【補正の内容】
【実用新案登録請求の範囲】
【請求項１】
業務用焼肉網の４辺端部をアルミニューム補強フレームで覆い固定した業務用焼肉網
【請求項２】
アルミニューム補強フレームの固定手段としてリべットを使用したことを特徴とする請求項１記載の業務用焼肉網
(57)【要約】      （修正有）【課題】消火器２本と、防火バケツ２個を迅速かつ簡単に火元まで運搬でき、設置場所もわずかですむ台車を提供する。【解決手段】消火器用台車１の、底板４に消火器８を２本搭載すると共に、防火バケツ９を２個、２本の支柱２から後方に防火バケツ用フック１１に吊り下げる。前記消火器用台車１を移動させるとき、キャスター３を支点に消火器用台車１を傾ける。前記消火器用台車１を容易に傾けられるよう、２本の支柱２の上部を折り曲げ、取手を設ける。また、前記消火器用台車１を傾けたとき、消火器８が倒れないよう消火器固定ベルト５と背板を設けて消火用の台車を構成する。【選択図】図２
0003162695.tif 000002
【実用新案登録請求の範囲】
【請求項１】
２つの車輪をもつ台車であり、消火器２本、防火バケツ２個を搭載できると共に、垂直な支柱から曲がった取手が取り付けてある台車である。
【請求項２】
前記台車は、前記消火器２本、防火バケツ２個を搭載したときに、移動ができることを特徴とする台車である。
【請求項３】
前記移動のとき、取手の曲がりによって容易に台車が傾き、迅速かつ簡単に移動ができることを特徴とする台車である。
【考案の詳細な説明】
【技術分野】
【０００１】  本発明は、消火器２本、防火バケツ２個を搭載でき、かつ移動できる台車に関するものである。
【背景技術】
【０００２】  一般的に消火器の設置方法として、固定された消火器ＢＯＸ内に、消火器が格納されている。【０００３】  また、火災の大小に関わらず、消火器を使用しなければならない。
【考案の概要】
【考案が解決しようとする課題】
【０００４】  しかし火災が起きたとき、固定設置された消火器ＢＯＸまで消火器を取りに行き、火災場所まで戻り、消火活動を行うのは時間がかかり過ぎる。【０００５】  また、１度使ってしまった消火器ＢＯＸ内の消火器は、補充されるまで空である。
【課題を解決するための手段】
【０００６】  そこで本考案は、以上の課題を解決すべく、消火器２本、防火バケツ２個を、迅速かつ簡単に移動できる台車を提供することを目的とする。【０００７】  上記目的を達成するため、本考案は消火器２本を乗せる底板後方両端にキャスターを取り付け、前記底板から２本の支柱を垂直に立ち上げると共に、前記２本の支柱上部を折り曲げ取手とする。【０００８】  また、移動の際、消火器２本が転倒しないよう、前記２本の支柱前方に消火器固定ベルトを取り付けると共に、前記２本の支柱後方には防火バケツ２個を吊り下げるフックを取り付ける。
【考案の効果】
【０００９】  以上のように、本考案の消火器用台車によれば、火災が起きる危険性の高い場所へ移動・設置ができると共に、初期消火に効果的である防火用水をも設置することができる。【００１０】  また消火器使用後、補充までの空の時間をなくすことができる。
【実施例】
【００１１】  以下に本考案に係る消火器用台車の実施例を図１乃至図３に基づいて説明する。本考案に係る消火器用台車を示す図１乃至図３において、▲１▼は本考案に係る消火器用台車であり、▲２▼は２本の支柱、▲３▼はキャスター、▲４▼は底板、▲５▼は消火器固定ベルト、▲６▼は背板、▲７▼は取手、▲８▼は消火器、▲９▼は防火バケツ、▲１０▼は補強支持脚、▲１１▼は防火バケツ用フックである。【００１２】  この消火器用台車▲１▼は、底板▲４▼に消火器▲８▼を２本搭載すると共に、防火バケツ▲９▼を２個、２本の支柱▲２▼から後方に防火バケツ用フック▲１１▼に吊り下げることができる。【００１３】  前記消火器用台車▲１▼を移動させるとき、キャスター▲３▼を支点に消火器用台車▲１▼を傾ける。前記消火器用台車▲１▼を容易に傾けられるよう、２本の支柱▲２▼の上部を折り曲げ、取手▲７▼とする。また、前記消火器用台車▲１▼を傾けたとき、消火器▲８▼が倒れないよう消火器固定ベルト▲５▼と背板▲６▼を設ける。
【図面の簡単な説明】
【００１４】
【図１】本考案に係る消火器用台車を正面から見た図である。
【図２】本考案に係る消火器用台車を側面から見た図である。
【図３】本考案に係る消火器用台車を上方から見た図である。
【符号の説明】
【００１５】▲１▼  消火器用台車
▲２▼  ２本の支柱
▲３▼  キャスター
▲４▼  底板
▲５▼  消火器固定ベルト
▲６▼  背板
▲７▼  取手
▲８▼  消火器
▲９▼  防火バケツ
▲１０▼  補強支持脚
▲１１▼  防火バケツ用フック
【図１】
0003162695.tif 000003
【図２】
0003162695.tif 000004
【図３】
0003162695.tif 000005
【手続補正書】
【提出日】平成22年4月15日(2010.4.15)
【手続補正１】
【補正対象書類名】実用新案登録請求の範囲
【補正対象項目名】全文
【補正方法】変更
【補正の内容】
【実用新案登録請求の範囲】
【請求項１】
消火器２本を搭載するための底板を設け、底板後方左右両端下部には移動用に２個のキャスターを取付ける。防火バケツ２個を搭載するために、底板後方左右両端部から上方に延設された２本の支柱上部から後方に防火バケツ用フックを設け、防火バケツ２個を吊り下げることができるようにする。また消火器が台車から転倒しないよう、２本の支柱から前方に消火器固定ベルトと支柱後方に背板を設け、２本の支柱最上部を繋ぐことで取手とする台車。
【請求項２】
消火器２本、防火バケツ２個を搭載したときに、移動ができることを特徴とする請求項１記載の台車。
【請求項３】
移動のとき、取手の曲がりによって容易に台車が傾き、迅速かつ簡単に移動ができることを特徴とする請求項２記載の台車。
【手続補正書】
【提出日】平成22年6月24日(2010.6.24)
【手続補正１】
【補正対象書類名】実用新案登録請求の範囲
【補正対象項目名】請求項１
【補正方法】変更
【補正の内容】
【請求項１】
本考案において、
（１）消火器２本を搭載するための底板を設け、底板後方左右両端下部には移動用に２個のキャスターを取付け、
（２）防火バケツ２個を搭載するために、底板後方左右両端部から上方に延設された２本の支柱上部から後方に防火バケツ用フックを設け、防火バケツ２個を吊り下げることができるようにし、
（３）消火器が台車から転倒しないよう、２本の支柱から前方に消火器固定ベルトと支柱後方に背板を設け、２本の支柱最上部を繋ぐことで取手とする、
以上からなる台車。
(57)【要約】      （修正有）【課題】歯科医療及び歯科に関連する民間療法における歯茎の血行の促進と経穴の刺激を行い、歯周疾患の予防改善を行う為の歯茎マッサージブラシを提供する。【解決手段】歯ブラシの形状と同等の柄部を持ち、ブラシ相当部に指の腹と近似したシリコンを取り付けたマッサージ用具を使うことにより、指を直接口腔内に挿入することなく歯茎のマッサージを行う事ができる。軟質のシリコンにより歯茎にマッサージの力が適度に伝達され、効果的にマッサージを行う事ができる。【選択図】図１
0003162700.tif 000002
【実用新案登録請求の範囲】
【請求項１】
歯ブラシのブラシ相当部分に歯茎をマッサージするのに適した形状の一塊のシリコンを取り付け、歯茎をマッサージするために用いるマッサージ用具。
【請求項２】
柔軟なシリコンと適度な弾力を持った柄により歯茎に適度な刺激を加えることができる。
【考案の詳細な説明】
【図１】
0003162700.tif 000003
【図２】
0003162700.tif 000004
【手続補正書】
【提出日】平成22年6月1日(2010.6.1)
【手続補正１】
【補正対象書類名】実用新案登録請求の範囲
【補正対象項目名】全文
【補正方法】変更
【補正の内容】
【実用新案登録請求の範囲】
【請求項１】
歯ブラシのブラシ相当部分に一塊のシリコンを取り付け、歯茎をマッサージするために用いるマッサージ用具。
【手続補正２】
【補正対象書類名】明細書
【補正対象項目名】全文
【補正方法】変更
【補正の内容】
【考案の詳細な説明】
【０００１】歯科医療及び歯科に関連する民間療法における歯茎の血行の促進と経穴の刺激を行い、歯周疾患の予防改善を行う為の歯茎マッサージブラシ。
【背景技術】
【０００２】歯茎のマッサージを行う事は、歯茎の血行改善と口腔内の経穴を刺激し、歯周疾患の予防改善及び唾液分泌の促進に有効である。
【考案の概要】
【考案が解決しようとする課題】
【０００３】歯茎のマッサージを自分の指を使用して行う事は、不潔感を伴い嫌がる人が多い。また大臼歯部外側など指が容易に到達し得ない部分があり、マッサージ効果が損なわれる。また、ブラシ部にシリコンを使った歯茎マッサージ用ブラシは既にあるが、歯牙清掃用歯ブラシのブラシ部分をブラシと同形状のシリコンに置き換えただけなので、歯茎に圧接するとブラシが広がってしまい、十分なマッサージ効果が得られない。
【課題を解決するための手段】
【０００４】歯ブラシのブラシ部分を、一塊のシリコンとすることで、人の指と同等のマッサージ効果と経穴刺激効果を得ることができる。
【図面の簡単な説明】
【図１】歯茎マッサージブラシの平面図
【図２】歯茎マッサージブラシの側面図
【図３】歯茎マッサージブラシのヘッド部従断面図
【図４】歯茎マッサージブラシのヘッド部拡大平面図
【図５】歯茎マッサージブラシのヘッド部横断面図
【符号の説明】１；歯茎マッサージブラシのヘッド部（斜線は、シリコンを表す）
２；歯茎マッサージブラシの柄部
【手続補正３】
【補正対象書類名】図面
【補正対象項目名】全図
【補正方法】変更
【補正の内容】
【図１】
0003162700.tif 000005
【図２】
0003162700.tif 000006
【図３】
0003162700.tif 000007
【図４】
0003162700.tif 000008
【図５】
0003162700.tif 000009
(57)【要約】      （修正有）【課題】的を左右に移動させることができる装置を提供する。【解決手段】モーターに装着された金属製円盤の１支点に金属突起を固定させる。中心付近をモーターに固定された固定板に支点を固定され、一端に的又は標的を固定した板棒を設ける。金属円盤が回転、細長い板棒に掘られた溝に沿って金属突起が滑ることにより板棒の支点より的側が金属円盤の円運動から振り子のように左右運動に変わる。【選択図】図２
0003162697.tif 000002
【実用新案登録請求の範囲】
【請求項１】
円の１支点を板棒の溝に沿って滑らせることにより円運動から振り子の運動に変えることにより板棒に固定された的標的が移動する。
【請求項２】
上記の的標的と板棒の固定部分にベアリングを装着することにより、的標的の動きが左右の運動に変わる。
【考案の詳細な説明】
【技術分野】
【０００１】    本考案は、固定されていた的標的を左右に移動することが出来る装置である。
【背景技術】
【０００２】    これまでダーツ、吹矢、弓道、アーチェリー、ボーガン等が利用している的標的は固定するものという概念があった。
【考案の開示】
【考案が解決しようとする課題】
【０００３】    これまでは、的標的は固定されたものとの固定観念が強かった。この的標的を左右に移動させることにより更なる高度な技術の向上に役立つ。しかしながら、これらの装置の作成にはかなり費用がかさむものとなる。これを誰もが容易に設置でき、かつ単純な装置で故障が少なく、単価が安いものでなくてはならない。
【課題を解決するための手段】
【０００４】    本考案は動力から出る、円運動を一本の板棒に溝をあけ、円運動の一点をその溝を這わせることにより板棒に設けた支点の反対側が左右運動になる原理を利用したもので、単純な装置故に単価も安く製作でき、多くの人が利用できる。また、競技内容によりギヤ−を変えることにより左右運動の速度を調整できる。
【考案の効果】
【０００５】    元来、これらの競技は狩猟から永い歴史のうちに今に至ったものである。よって的標的が動くものであれば、もっと多くの人たちに興味を抱かせ、技術の向上もさりながら、競技人口もさらに増えることが期待できる。
【考案の実施するための最良の形態】
【０００６】  的標的は直接、振り子運動になった板棒に直接固定しても良い、特にダーツのように的標的が全体に円い場合はこの方法でも良い。的標的が正四角形の台に張られたものであれば、的標的を固定する部分と板棒の間にベアリングを入れることにより振り子運動から左右にスライドするような運動の状態を作り出せる。また三脚等で装置を固定する場合、装置に付けられたモーター、ゼンマイの動力の出力部分は前後どちらに突出しても構わない。壁に固定する場合は振り子の部分が上向き、下向きでも可能であり、モーター等を前に取り付ければ良い。
【実施例】
【０００７】  以下、添付図面に従って一実施例を説明する。図１は全体の正面図、図２は装置本体内の正面図である。中心の円盤はモーターに装着され、Ａ中心に１の方向に回転すると、板棒に彫られた溝に沿って円盤に固定されているＢ支点が２の方向に移動していく。板棒の下は３の方向へ動き、板棒のＣ支点の反対にある的標的が４の方向に動き、さらに円盤が回転すれば反復運動の繰り返しとなる。図３は本装置の本体部の側面図である。【０００８】  競技内容によりモーターに装着されたギヤーを変えることにより左右に移動する速さを変化させることが出来る。図２のＡ中心からＢ支点の間を狭くすれば左右に移動する距離を小さくでき、反対ならば移動距離を大きく出来る。Ａ中心からＣ支点も同様であり、どちらを採用するかはモーターの出力で決める。【０００９】  室内競技、例えばダーツのような競技は狭い場所で行うことが多いので壁に固定して使用する。この場合、図２のモーター部分を正面に装着すれば後方面は平となり、壁に容易に固定出来る。
【図面の簡単な説明】
【００１０】
【図１】  本考案の振り子式的標的移動装置正面
【図２】  本考案の振り子式的標的移動装置本体一部切欠正面図
【図３】  本考案の振り子式的標的移動装置本体一部切欠側面図
【符号の説明】
【００１１】  １  的標的
２  Ａ中心
３  Ｂ支点
４  Ｃ支点
５  モーター部分
６  固定板
７  円盤
８  Ｂ支点移動範囲
９  接続部ベアリングを使用
１０  板棒
１１  正面
【図１】
0003162697.tif 000003
【図２】
0003162697.tif 000004
【図３】
0003162697.tif 000005
【手続補正書】
【提出日】平成22年6月23日(2010.6.23)
【手続補正１】
【補正対象書類名】実用新案登録請求の範囲
【補正対象項目名】全文
【補正方法】変更
【補正の内容】
【実用新案登録請求の範囲】
【請求項１】
モーターに装着された金属製円盤の１支点に金属突起を固定させ、中心付近をモーターに固定され、もうけられた固定板に支点を固定された一端に的又は標的を固定した板棒を設け、金属円盤が回転することにより細長い板棒に掘られた溝に沿って金属突起が滑ることにより板棒の支点より的側が金属円盤の円運動から振り子のように左右運動に変わるこの動作を利用した的又は標的が移動する振り子式の的又は標的移動装置。
【請求項２】
振り子のような左右運動に水平運動を加える為、細長い板棒の先端と的との固定部分にベアリングを装着することにより、あたかも的が水平に移動しているような特徴がある請求項１に記載の振り子式の的又は標的移動装置。